【手続補正書】
【提出日】平成25年1月18日(2013.1.18)
【手続補正１】
【補正対象書類名】特許請求の範囲
【補正対象項目名】全文
【補正方法】変更
【補正の内容】
【特許請求の範囲】
【請求項１】
潤滑剤を変速機に供給することを含む変速機を潤滑化させる方法であって、該潤滑剤は、  潤滑粘性のオイル；および
ヒドロカルビルアミン
を含み、そのヒドロカルビル基が１２〜２２個の炭素原子を有し、該アミンが、該ヒドロカルビル基に加えてその１つまたは複数のアミン窒素原子上に１つまたは２つの基を有し、そうした追加の１つまたは複数の基が独立に構造−Ｒ３−Ｃ（＝Ｏ）Ｘ（Ｒ４）ｃであり、
各Ｒ３は独立に、１〜４個の炭素原子を含むアルキレン基、またはその鎖内に１個もしくは２個の窒素または酸素原子によって介在されている２〜９個の炭素原子の鎖を含む基であり；Ｘは窒素または酸素であり；Ｘが窒素である場合ｃは２であり、Ｘが酸素である場合ｃは１であり；各Ｒ４は独立に、１〜２０個の炭素原子のヒドロカルビル基、または式−Ｒ３−ＮＨＲ５（Ｒ５は１２〜２２個の炭素原子のヒドロカルビル基である）で表される基であるか、あるいはＸが窒素である場合、Ｒ４はＨであってよい
方法。
【請求項２】
前記アミンが、構造−Ｒ３−Ｃ（＝Ｏ）Ｘ（Ｒ４）ｃの単一の基を含む、請求項１に記載の方法。
【請求項３】
前記アミンが、アミン窒素原子上に構造−Ｒ３−Ｃ（＝Ｏ）Ｘ（Ｒ４）ｃの２つの基を含む、請求項１に記載の方法。
【請求項４】
前記アミンが、複数のアミン窒素原子を含み、該複数のアミン窒素原子の少なくとも２つが構造−Ｒ３−Ｃ（＝Ｏ）Ｘ（Ｒ４）ｃの基を有する、請求項１または３に記載の方法。
【請求項５】
前記ヒドロカルビルアミンが、式：
【化１８】
2012518059.tif 000001
（式中、Ｒ１は１２〜２２個の炭素原子のヒドロカルビル基であるか、またはＲ１は、その窒素原子上で２〜２２個の炭素原子のヒドロカルビル基によって置換された最大で３個の炭素原子のアミノアルキル基であり；Ｒ２は水素またはヒドロカルビル基であり；ａは１または２であり、ｂは２−ａである）
で表される、請求項１に記載の方法。
【請求項６】
ｂが１であり、Ｒ２が水素または１２〜２２個の炭素原子のヒドロカルビル基である、請求項５に記載の方法。
【請求項７】
各Ｒ３が独立に、−ＣＨ２ＣＨ２−、または−ＣＨ２−、または−ＣＨ２ＣＨ２ＣＨ２ＮＨＣＨ２−、または−ＣＨ２ＣＨ２ＣＨ２ＮＨＣＨ２ＣＨ２−または−ＣＨ２−ＣＨ（ＣＨ３）−である、請求項１から６のいずれかに記載の方法。
【請求項８】
Ｒ３が−ＣＨ２ＣＨ２−、または−ＣＨ２−または−ＣＨ２ＣＨ２ＣＨ２ＮＨＣＨ２−であり、Ｘが酸素であり、Ｒ４がＣＨ３である、請求項１から６のいずれかに記載の方法。
【請求項９】
前記ヒドロカルビルアミンが、式
【化１９】
2012518059.tif 000002
（式中、Ｒ１は１２〜２２個の炭素原子のヒドロカルビル基であり、各Ｒ４は独立に、１〜２０個の炭素原子のヒドロカルビル基、Ｈまたは式−Ｒ３−ＮＨＲ５（Ｒ５は１２〜２２個の炭素原子のヒドロカルビル基である）で表される基である）
で表される物質を含む、請求項１または３または５に記載の方法。
【請求項１０】
前記ヒドロカルビルアミンの量が０．１〜１０重量％である、請求項１から９のいずれかに記載の方法。
【請求項１１】
潤滑粘性のオイル；および
ヒドロカルビルアミン
を含む組成物であって、そのヒドロカルビル基が１２〜２２個の炭素原子を有し、該アミンが、該ヒドロカルビル基に加えてそのアミン窒素原子上に２つの基を有し、そうした追加の基が独立に構造−Ｒ３−Ｃ（＝Ｏ）Ｘ（Ｒ４）ｃであり、
各Ｒ３は独立に、１〜４個の炭素原子を含むアルキレン基、またはその鎖内に１個もしくは２個の窒素または酸素原子によって介在されている２〜９個の炭素原子の鎖を含む基であり；Ｘは窒素または酸素であり；Ｘが窒素である場合ｃは２であり、Ｘが酸素である場合ｃは１であり；各Ｒ４は独立に、１〜２０個の炭素原子のヒドロカルビル基、または式−Ｒ３−ＮＨＲ５（Ｒ５は１２〜２２個の炭素原子のヒドロカルビル基である）で表される基であるか、あるいはＸが窒素である場合、Ｒ４はＨであってよい組成物。
【請求項１２】
前記ヒドロカルビルアミンが、式：
【化１８Ａ】
2012518059.tif 000003
（式中、Ｒ１は１２〜２２個の炭素原子のヒドロカルビル基であるか、またはＲ１は、その窒素原子上で１２〜２２個の炭素原子のヒドロカルビル基によって置換された最大で３個の炭素原子のアミノアルキル基である）
で表される、請求項１１に記載の組成物。
【請求項１３】
前記ヒドロカルビルアミンが、式
【化１９】
2012518059.tif 000004
（式中、Ｒ１は１２〜２２個の炭素原子のヒドロカルビル基であり、各Ｒ４は独立に、１〜２０個の炭素原子のヒドロカルビル基、Ｈまたは式−Ｒ３−ＮＨＲ５（Ｒ５は１２〜２２個の炭素原子のヒドロカルビル基である）で表される基である）
で表される物質を含む、請求項１１または１２に記載の組成物。
【請求項１４】
前記ヒドロカルビルアミンの量が０．１〜１０重量％である、請求項１１から１３のいずれかに記載の組成物。
【請求項１５】
前記潤滑剤が、分散剤、洗剤、酸化防止剤、シール膨張剤、摩耗防止剤、有機ホウ酸エステル、有機ホウ酸塩、有機リンの酸のエステル（ｐｈｏｓｐｈｏｒｕｓ  ｅｓｔｅｒ）、有機リンの酸の塩（ｐｈｏｓｐｈｏｒｕｓ  ｓａｌｔ）、無機リンの酸および無機リンの酸の塩からなる群から選択される少なくとも１つのさらなる添加剤をさらに含む、請求項１１から１４のいずれかに記載の組成物。
【手続補正２】
【補正対象書類名】明細書
【補正対象項目名】００１７
【補正方法】変更
【補正の内容】
【００１７】
本発明は、例えば、以下を提供する：
（項目１）
潤滑粘性のオイル；および
ヒドロカルビルアミンを含む組成物であって、そのヒドロカルビル基が約１２〜約２２個の炭素原子を有し、該アミンが、該ヒドロカルビル基に加えてその１つまたは複数のアミン窒素原子上に１つまたは２つの基を有し、そうした追加の１つまたは複数の基が独立に構造−Ｒ３−Ｃ（＝Ｏ）Ｘ（Ｒ４）ｃであり、
各Ｒ３は独立に、１〜４個の炭素原子を含むアルキレン基、またはその鎖内に１個もしくは２個の窒素または酸素原子によって介在されている２〜９個の炭素原子の鎖を含む基であり；Ｘは窒素または酸素であり；Ｘが窒素である場合ｃは２であり、Ｘが酸素である場合ｃは１であり；各Ｒ４は独立に、１〜約２０個の炭素原子のヒドロカルビル基、または式−Ｒ３−ＮＨＲ５（Ｒ５は約１２〜約２２個の炭素原子のヒドロカルビル基である）で表される基であるか、あるいはＸが窒素である場合、Ｒ４はＨであってよい組成物。
（項目２）
前記アミンが、構造−Ｒ３−Ｃ（＝Ｏ）Ｘ（Ｒ４）ｃの単一の基を含む、項目１に記載の組成物。
（項目３）
前記アミンが、アミン窒素原子上に構造−Ｒ３−Ｃ（＝Ｏ）Ｘ（Ｒ４）ｃの２つの基を含む、項目１に記載の組成物。
（項目４）
前記アミンが、複数のアミン窒素原子を含み、該複数のアミン窒素原子の少なくとも２つが構造−Ｒ３−Ｃ（＝Ｏ）Ｘ（Ｒ４）ｃの基を有する、項目１に記載の組成物。
（項目５）
前記ヒドロカルビルアミンが、式：
【化１８】
2012518059.tif 000005
（式中、Ｒ１は約１２〜約２２個の炭素原子のヒドロカルビル基であるか、またはＲ１は、その窒素原子上で約１２〜約２２個の炭素原子のヒドロカルビル基によって置換された最大で３個の炭素原子のアミノアルキル基であり；Ｒ２は水素またはヒドロカルビル基であり；ａは１または２であり、ｂは２−ａである）
で表される、項目１に記載の組成物。
（項目６）
Ｒ１が約１２〜約１８個の炭素原子のアルキル基である、項目５に記載の組成物。
（項目７）
Ｒ１が、ココアルキル基、タローアルキル基または水素化タローアルキル基である、項目５または６に記載の組成物。
（項目８）
ｂが１であり、Ｒ２が水素または約１２〜約２２個の炭素原子のヒドロカルビル基である、項目５から７のいずれかに記載の組成物。
（項目９）
各Ｒ３が独立に、−ＣＨ２ＣＨ２−、または−ＣＨ２−、または−ＣＨ２ＣＨ２ＣＨ２ＮＨＣＨ２−、または−ＣＨ２ＣＨ２ＣＨ２ＮＨＣＨ２ＣＨ２−または−ＣＨ２−ＣＨ（ＣＨ３）−である、項目１から８のいずれかに記載の組成物。
（項目１０）
ａ＝２である、項目５から９のいずれかに記載の組成物。
（項目１１）
Ｒ３が−ＣＨ２ＣＨ２−、または−ＣＨ２−または−ＣＨ２ＣＨ２ＣＨ２ＮＨＣＨ２−であり、Ｘが酸素であり、Ｒ４がＣＨ３である、項目１から１０のいずれかに記載の組成物。
（項目１２）
Ｒ４が−ＣＨ２ＣＨ２ＣＨ２ＮＨ−ココであり、ココがココアルキル基である、項目１から１１のいずれかに記載の組成物。
（項目１３）
前記ヒドロカルビルアミンが、式
【化１９】
2012518059.tif 000006
（式中、Ｒ１は約１２〜約２２個の炭素原子のヒドロカルビル基であり、各Ｒ４は独立に、１〜約２０個の炭素原子のヒドロカルビル基、Ｈまたは式−Ｒ３−ＮＨＲ５（Ｒ５は約１２〜約２２個の炭素原子のヒドロカルビル基である）で表される基である）
で表される物質を含む、項目１または２に記載の組成物。
（項目１４）
潤滑粘性のオイル、およびそのヒドロカルビル基が約１２〜約２２個の炭素原子を有するＮ−（カルボアルコキシアルキル）ヒドロカルビルアミンをＮ−ヒドロカルビル置換ジアミンであって、その置換ジアミンのヒドロカルビル基が約１２〜約２２個の炭素原子を含むＮ−ヒドロカルビル置換ジアミンと反応させる方法によって得られたまたは得ることができる生成物を含む組成物。
（項目１５）
前記Ｎ−（カルボアルコキシアルキル）ヒドロカルビルアミンがジエステルである、項目１４に記載の組成物。
（項目１６）
前記ヒドロカルビルアミンの量が約０．１〜約１０重量％である、項目１から１５のいずれかに記載の組成物。
（項目１７）
分散剤、洗剤、酸化防止剤、シール膨張剤および摩耗防止剤からなる群から選択される少なくとも１つのさらなる添加剤をさらに含む、項目１から１６のいずれかに記載の組成物。
（項目１８）
有機ホウ酸エステル、有機ホウ酸塩、有機リンの酸のエステル（ｐｈｏｓｐｈｏｒｕｓ  ｅｓｔｅｒ）、有機リンの酸の塩（ｐｈｏｓｐｈｏｒｕｓ  ｓａｌｔ）、無機リンの酸および無機リンの酸の塩からなる群から選択される少なくとも１つの添加剤をさらに含む、項目１から１７のいずれかに記載の組成物。
（項目１９）
項目１から１８のいずれかに記載の潤滑剤を変速機に供給することを含む変速機を潤滑化させる方法。
本開示技術は、自動変速機用の摩擦調整剤として使用するのに適し得る組成物であって、潤滑粘性のオイル（ｏｉｌ  ｏｆ  ｌｕｂｒｉｃａｔｉｎｇ  ｖｉｓｃｏｓｉｔｙ）、およびそのヒドロカルビル基が１２〜２２個の炭素原子を有するヒドロカルビルアミン（任意選択で１つを超える、すなわち１つまたは複数のアミン窒素原子を有することができる）を含み、前記アミンが、その１つまたは複数のアミン窒素原子上で前記ヒドロカルビル基に加えて１つまたは２つの基を有し、そうした追加の１つまたは複数の基が独立に以下の構造−Ｒ３−Ｃ（＝Ｏ）Ｘ（Ｒ４）ｃからなる組成物を提供する。式中、各Ｒ３は独立に、１〜４個の炭素原子を含むアルキレン基であるか、あるいは、その鎖内に１個もしくは２個の窒素または酸素原子によって介在されている２〜９個の炭素原子の鎖を含む基であり；Ｘは窒素または酸素であり；Ｘが窒素である場合ｃは２であり、Ｘが酸素である場合ｃは１であり；各Ｒ４は独立に、１〜約２０個の炭素原子のヒドロカルビル基または式−Ｒ３−ＮＨＲ５（Ｒ５は約１２〜約２２個の炭素原子のヒドロカルビル基である）で表される基であるか、または、Ｘが窒素である場合、Ｒ４はＨであってよい。特定の実施形態では、そのヒドロカルビルアミンは第１級アミノ基を含まない（その分子上の他の任意の基の存否に関係なく、かつ、その組成物中に存在する他の任意の物質の存否に関係なく第１級アミノ基を含んでも含まなくてもよい）。